(57)【要約】【課題】カメラ用収音装置にして、音質が良くステレオ効果の高い収音を実現する。【解決手段】撮像レンズ１２を備えたカメラ筐体１１と、カメラ筐体１１の表面部に近接対向する内壁面１６ａを有してカメラ筐体１１に固設されたマイクホルダ１６Ｌ，１６Ｒと、マイクホルダ１６Ｌにより保持されたマイクユニット１５Ｌと、マイクホルダ１６Ｒにより保持されたマイクユニット１５Ｒと、を備える。マイクホルダ１６Ｌ，１６Ｒは、撮像レンズ１２の光軸Ｐに直交する方向においてカメラ筐体１１の左右両側に離間して固設されている。又、カメラ筐体１１の表面部は、音源からの到達音を反射する音波反射面１７としてマイクホルダ１６Ｌ，１６Ｒの内壁面１６ａに近接対向し、マイクユニット１５Ｌ，１５Ｒは、音波反射面１７からの反射音を収音するよう、それぞれ収音面１５ａを音波反射面１７に向けて保持されている。【選択図】図２
2012147137.tif 000002
【特許請求の範囲】
【請求項１】
撮像レンズによって光を集光して撮像する撮像装置に用いる収音装置において、
カメラ筐体と、
前記カメラ筐体の表面部に近接対向する内壁面を有して前記カメラ筐体に固設された第１のマイクホルダ及び第２のマイクホルダと、
前記第１のマイクホルダにより保持された第１のマイクユニットと、
前記第２のマイクホルダにより保持された第２のマイクユニットと、
を備え、
前記第１、第２のマイクホルダは、前記撮像レンズの光軸に直交する方向において前記カメラ筐体の左右両側に離間して固設され、
前記カメラ筐体の表面部は、音源からの到達音を反射する音波反射面として前記第１、第２のマイクホルダの内壁面に近接対向し、
前記第１、第２のマイクユニットは、前記音波反射面からの反射音を収音するよう、それぞれ収音面を前記音波反射面に向けて保持されていることを特徴とする収音装置。
【請求項２】
前記第１、第２のマイクホルダは、前記光軸の直交方向に位置する前記カメラ筐体の幅方向両側面部に設けられ、前記撮像レンズが設けられる前記カメラ筐体の前面部とは反対の背面部側に位置する後方端部が前記カメラ筐体の側面部に連なっていることを特徴とする請求項１記載の収音装置。
【請求項３】
前記カメラ筐体の一方の側面部において、前記撮像レンズを透して取得した被写体像を表示するための表示パネルが前記第１のマイクホルダの背後に展開可能に設けられていると共に、
前記カメラ筐体の他方の側面部には、前記第２のマイクホルダの背後に展開可能なカバーパネルが設けられ、展開状態の前記カバーパネルが前記カメラ筐体を把持する撮像者の手と前記第２のマイクホルダとの間に介在するようにしたことを特徴とする請求項２記載の収音装置。
【請求項４】
前記第１、第２のマイクホルダと前記音波反射面との間に柔軟多孔質の風切り音防止部材が配置されていることを特徴とする請求項１〜３のいずれか１項に記載の収音装置。
【請求項５】
前記音波反射面が前記カメラ筐体を部分的に凹ますことにより形成されていることを特徴とする請求項１〜４のいずれか１項に記載の収音装置。
【発明の詳細な説明】
【技術分野】
【０００１】
本発明は、ビデオカメラなどの撮像装置に用いられる収音装置に係わり、特に室内での使用に際して、音源となる被写体やその周辺から到来する直接音と、室内の壁や床による反射音との干渉を最小限に抑えて良好なステレオ収音を行えるようにした収音装置に関する。
【背景技術】
【０００２】
動画を撮像するビデオカメラなどの撮像装置は、画像情報と共に音声情報を取得するために収音装置を備えるが、カメラ用収音装置の多くは単一指向性のマイクユニットを２つカメラ筐体に内蔵するか、あるいは単一ボディー内に単一指向性のマイクユニットを２つ収納したステレオマイクをカメラ筐体に内蔵しており、いずれの場合も２つのマイクユニットが近接しているため、音源から２つのマイクユニットに到達する音に違いが少なく、撮像装置自体を音源から十分に離さないと、１個のモノラルマイクによる録音と同等の効果しか得られず、良好なステレオ収音ができなくなる。
【０００３】
そこで、カメラ筐体の左右両側面に人間の耳を模した突起物を設け、その耳形突起物の中央部分に開けられた孔の奥にマイクユニットを配置するという収音装置が提案されている（例えば、特許文献１）。
【先行技術文献】
【特許文献】
【０００４】
【特許文献１】特表平１０−５０６５１２号公報
【発明の概要】
【発明が解決しようとする課題】
【０００５】
しかしながら、特許文献１に開示される収音装置によれば、２つのマイクユニットが離間してカメラ筐体がダミーヘッドとして機能するから、カメラ筐体に２つのマイクユニットを近接配置したものに比べると良好なステレオ収音、バイノーラル収音が可能とされるものの、係る収音装置では、耳形突起物が収音器であり、カメラ筐体の形状、マイクユニットの固定位置に制約が発生し、特定の配置以外ではステレオ効果のある録音が困難になり、良質な再生音を得難くなる。
【０００６】
本発明は以上のような事情に鑑みて成されたものであり、その主たる目的はカメラ用収音装置にして、音質が良くステレオ効果の高い収音を実現することにある。
【課題を解決するための手段】
【０００７】
本発明は上記の目的を達成するため、以下に記載するような収音装置を提供するものである。
（１）撮像レンズ１２によって光を集光して撮像する撮像装置に用いる収音装置において、
カメラ筐体１１と、
前記カメラ筐体１１の表面部に近接対向する内壁面１６ａ，２６ａ，３６ａを有して前記カメラ筐体１１に固設された第１のマイクホルダ１６Ｌ，２６Ｌ，３６Ｌ及び第２のマイクホルダ１６Ｒ，２６Ｒ，３６Ｒと、
前記第１のマイクホルダ１６Ｌ，２６Ｌ，３６Ｌにより保持された第１のマイクユニット１５Ｌと、
前記第２のマイクホルダ１６Ｒ，２６Ｒ，３６Ｒにより保持された第２のマイクユニット１５Ｒと、
を備え、
前記第１、第２のマイクホルダは、前記撮像レンズ１２の光軸Ｐに直交する方向において前記カメラ筐体１１の左右両側に離間して固設され、
前記カメラ筐体１１の表面部は、音源からの到達音を反射する音波反射面１７，２７，３７として前記第１、第２のマイクホルダの内壁面１６ａ，２６ａ，３６ａに近接対向し、
前記第１、第２のマイクユニットは、前記音波反射面からの反射音を収音するよう、それぞれ収音面１５ａを前記音波反射面に向けて保持されていることを特徴とする収音装置。
（２）前記第１、第２のマイクホルダは、前記光軸Ｐの直交方向に位置する前記カメラ筐体の幅方向両側面部１１ｃ，１１ｄに設けられ、前記撮像レンズ１２が設けられる前記カメラ筐体の前面部１１ａとは反対の背面部１１ｂ側に位置する後方端部が前記カメラ筐体の側面部１１ｃ，１１ｄに連なっていることを特徴とする上記（１）記載の収音装置。
（３）前記カメラ筐体の一方の側面部１１ｃにおいて、前記撮像レンズ１２を透して取得した被写体像を表示するための表示パネル１３が前記第１のマイクホルダの背後に展開可能に設けられていると共に、
前記カメラ筐体の他方の側面部１１ｄには、前記第２のマイクホルダの背後に展開可能なカバーパネル１４が設けられ、展開状態の前記カバーパネル１４が前記カメラ筐体を把持する撮像者の手Ｈと前記第２のマイクホルダとの間に介在するようにしたことを特徴とする上記（２）記載の収音装置。
（４）前記第１、第２のマイクホルダと前記音波反射面との間に柔軟多孔質の風切り音防止部材１８が配置されていることを特徴とする上記（１）〜（３）のいずれかに記載の収音装置。
（５）前記音波反射面が前記カメラ筐体を部分的に凹ますことにより形成されていることを特徴とする上記（１）〜（４）のいずれかに記載の収音装置。
【発明の効果】
【０００８】
本発明に係る収音装置によれば、音質が良くステレオ効果の高い収音を実現することが可能となる。
【図面の簡単な説明】
【０００９】
【図１】本発明の第１実施形態を示す収音装置付き撮像装置の斜視図
【図２】図１に示した装置の上面図
【図３】図１に示した装置の使用状態を示す正面図
【図４】図１に示した装置の要部断面図
【図５】図１に示した装置の変更例を示す要部断面図
【図６】本発明の第２実施形態を示す収音装置付き撮像装置の上面図
【図７】図２に示した装置の側面図
【図８】図７のＸ−Ｘ断面図（Ａ）およびＹ−Ｙ断面図（Ｂ）
【図９】本発明の第３実施形態を示す収音装置付き撮像装置の正面図
【図１０】図３に示した装置の横断面図
【発明を実施するための形態】
【００１０】
以下、図面に基づいて本発明を詳しく説明する。尚、以下の説明において、上、下、左、右とは、撮像装置１の姿勢が、撮像レンズ１２の光軸Ｐが水平面と平行であり、且つ２つのマイクユニット１５Ｌ，１５Ｒが同じ高さになるような状態での上、下、左、右であるとする。又、撮像レンズ１２を２つ有する撮像装置１を例に説明するが、本発明はこれに限定されるものではない。
【００１１】
先ず、図１〜図５に基づき本発明の第１実施形態を説明する。図１〜図３において、１は本発明に係る収音装置を一体として備えた撮像装置である。撮像装置１は撮像部と録画部を一体化したビデオカメラ（カムコーダ）であり、そのカメラ筐体１１は被写体像を取得するための撮像レンズ１２を備えている。尚、撮像レンズ１２は着脱可能であってもよい。又、撮像装置１は、撮像レンズ１２によって光を集光して撮像する。
【００１２】
カメラ筐体１１は、撮像レンズ１２が設けられた前面部１１ａとその反対側に位置する背面部１１ｂ、撮像レンズ１２の光軸Ｐに対して直交方向（カメラ筐体の幅方向）に位置する左右両側面部１１ｃ，１１ｄ、及び上面部１１ｅと底面部１１ｆを有する中空構造物であり、このうち左右何れかの側面部（図示例においてカメラ筐体１１を後方からみて左側となる側面部１１ｃ）には、撮像レンズ１２を透して取得した被写体像を表示するための表示パネル１３が設けられている。
【００１３】
表示パネル１３は、その一端縁部を旋回中心として前後方向に旋回し、側面部１１ｃに沿う収納位置から側面部１１ｃに対して直交する展開位置に展開可能とされており、展開位置において後ろ向きとなる面には、表示面１３ａとして例えば液晶表示板が装着されている。
【００１４】
又、他方の側面部１１ｄには、表示パネル１３と同じく側面部１１ｄに沿う収納位置から側面部１１ｄに対して直交する展開位置に展開可能なカバーパネル１４が設けられている。
【００１５】
更に、左右両側面部１１ｃ，１１ｄには、表示パネル１３及びカバーパネル１４の前方において、それぞれマイクユニット１５Ｌ，１５Ｒを保持した左右一対のマイクホルダ１６Ｌ，１６Ｒが固設されている。換言すれば、表示パネル１３とカバーパネル１４は、それぞれマイクホルダ１６Ｌ，１６Ｒの背後に展開し、収音撮像中において撮像者の手がマイクホルダ１６Ｌ，１６Ｒに触れることを防止する防壁として機能する。これによれば、収音撮像中において撮像者がマイクホルダ１６Ｌ，１６Ｒに触れることによる雑音の発生を防止できる。特に、カバーパネル１４は、図３のように撮像者がカメラ筐体１１を把持して収音撮像するとき、撮像者の手Ｈとマイクホルダ１６Ｒとの間に介在し、上記の防壁機能を発揮するほか、前方のマイクユニット１５Ｒに対し、表示パネル１３がマイクユニット１５Ｌに及ぼすのと同等の音響的反射効果を作用せしめるよう機能する。
【００１６】
すなわち、表示パネル１３を展開しての収音撮像時においては、音源となる被写体からの音波を表示パネル１３が反射し、その前方に位置する一方のマイクユニット１５Ｌに音響的な影響を少なからず及ぼすことになるが、表示パネル１３とは反対側に展開するカバーパネル１４によれば、表示パネル１３による音響的影響と同等の音響的影響をカバーパネル１４の前方に位置するマイクユニット１５Ｒに及ぼし、マイクユニット１５Ｌ，１５Ｒに対する音響的反射効果が左右でアンバランスになることを防止できる。
【００１７】
尚、マイクユニット１５Ｌ，１５Ｒ、ならびにマイクホルダ１６Ｌ，１６Ｒは、左右対称で、構造上左右同一であるから、以下において左右を区別する必要なき場合に限り、図４などを含めて添え字Ｌ，Ｒを省略する。
【００１８】
ここに、マイクホルダ１６は合成樹脂などから形成される板状構造物であり、その内壁面１６ａはカメラ筐体１１の表面部に近接対向している。尚、カメラ筐体１１とは、塗装やシール等が付されている場合は、その塗装やシール等も含むものとする。
【００１９】
又、図４から明らかなように、マイクホルダ１６には、その内壁面１６ａ側においてマイクユニット１５が埋設状態で固定保持されている。マイクユニット１５は、例えば全指向性のＥＣＭ（エレクトレット・コンデンサ・マイクロホン）であり、その収音面１５ａはマイクホルダ１６の内壁面１６ａより露出してカメラ筐体１の表面部に臨んでいる。なお、マイクホルダ１６は、カメラ筐体１１と一体に成形することもできるが、その内壁面１６ａ側にマイクユニット１５を仕込む関係上、カメラ筐体１１とは別体として形成され、これにマイクユニット１５を取り付けた後、カメラ筐体１１に固定する後付構造が採用される。但し、本発明はマイクホルダ１６をカメラ筐体１１と別部品として成形すること要件とせず、カメラ筐体１１とマイクホルダ１６を一体成形してもよく、この場合には例えばマイクホルダ１６にマイクユニット１５を外側から圧入させ得る貫通孔を開けておくことにより、マイクユニット１５の取り付けを簡単に行うことが可能となる。
【００２０】
しかして、マイクホルダ１６により覆われたカメラ筐体１１の表面部は、音波反射面１７として外部から入射した音波をマイクユニット１５に向けて反射し、その反射音を音波反射面１７に対向するマイクユニット１５が収音することになる。
【００２１】
又、マイクホルダ１６は、カメラ筐体１１の背面部１１ｂ側に位置する後方端部のみが側面部１１ｃ，１１ｄに連なるのであり、このため音波反射面１７には、図４に示す矢印のように主として音源となる被写体からの直接音が前方および上下方向から入射し、後方や横方向からの雑音はマイクホルダ１６により遮られる。一方、室内収音において、音波反射面１７には、室内の壁や床などによる反射音も僅かながら入射するが、本発明ではマイクユニット１５がその収音面１５ａを音波反射面１７に向けて保持されるバウンダリ型の配置態様とされていることから、直接音と反射音との干渉を抑制し、左右一対のマイクユニット１５に入力される音の周波数特性に大きなピーク・ディップが生ずることを防止できる。
【００２２】
したがって、本発明によれば、雑音のない高音質なステレオ収音が可能であり、しかもカメラ筐体１１が左右一対のマイクユニット１５を大きく隔てるに十分な幅（例えば、人間の頭部の平均的幅に相当する１７〜１８ｃｍ程度）を有し、バイノーラルのためのダミーヘッドとして機能することから、従来カメラと同様の撮像操作で撮像しながらバイノーラル収音し、これをヘッドホン使用により音像定位感をもって受聴でき、しかもクロストークの打ち消しと伝送特性の等化を主とした信号処理によりスピーカ出力による音像定位のよいステレオ再生ができ、更にはトランスオーラル処理を実行することでサラウンド再生することもできる。
【００２３】
尚、音波反射面１７とマイクユニット１５との距離を小さくするに伴って、マイクユニット１５の共振点が高くなることを利用し、本実施形態では、その共振点が２０ｋＨｚ以上となるように音波反射面１７とマイクユニット１５（マイクホルダ１６の内壁面１６ａ）との距離を定め、具体的にはその距離を１〜１．５ｍｍとしている。これによれば、マイクユニット１５による収音の周波数特性に２０ｋＨｚ以上のピークを発生するが、これは人間が聴取できない高周波音であるから、その高周波音を除去するような処理が不要であり、ひいては収音の記録再生に用いる信号処理回路を単純化することができる。
【００２４】
但し、音波反射面１７とマイクホルダ１６の間隔が上記のように小さいと、屋外での収音撮像に際して風切り音を発生し、これが雑音としてマイクユニット１５に捕らえられてしまうので、音波反射面１７とマイクホルダ１６との間には、図５のようにグラスウールやポリウレタンといった柔軟多孔質の風切り音防止部材１８を配置することが好ましい。尚、マイクホルダ１６とカメラ筐体１１の表面部（音波反射面１７）との間に、風切り音防止部材１８が配置される構成では、風切り音の発生を抑え、これによる雑音がマイクユニット１５で捕らえられてしまうことを防止できる。
【００２５】
次に、本発明の第２実施形態を図６〜図８に示して説明する。尚、第１実施形態と変更なき部分には同一符号を付して詳細な説明を省略し、以下の説明では変更点について言及する。
【００２６】
図６〜図８から明らかなように、本発明の第２実施形態では、表示パネル１３及びカバーパネル１４の前方において、カメラ筐体１１の両側面部１１ｃ，１１ｄを凹部２１として部分的に凹ませ、その内底部を音波反射面２７として形成している。このように、マイクホルダ２６の内壁面２６ａと近接対向する音波反射面２７がカメラ筐体１１を部分的に凹ませることにより形成されている態様では、人間の外耳との類似性に関係し、２つのマイクユニット１５（１５Ｌ，１５Ｒ）により音源の方向を識別することのできるバイノーラル効果が上がり、再生音に音像定位感を持たせることができる。
【００２７】
又、音波反射面２７に近接対向する内壁面２６ａを有するマイクホルダ２６（２６Ｌ，２６Ｒ）は、凹部２１の周辺における側面部１１ｃ，１１ｃと面一、若しくは側面部１１ｃ，１１ｄより若干凹部２１内に引っ込んだ平板状にして、その後方端部のみカメラ筐体１１に連なり、他の端面が凹部２１の周壁２１ａに臨んでいる。
【００２８】
このような収音装置を備える撮像装置２によれば、マイクホルダ２６が側面部１１ｃ，１１ｄより突出しないので、マイクホルダ２６を障害物にぶつけて破損してしまう危険性を減らすことができる。加えて、マイクホルダ２６の周囲に凹部２１の周壁２１ａが存在するようになることから、図８に示す矢印のように、音波反射面２７に対し、前方から入射する音波Ｓ１と、横から入射する音波Ｓ２、ならびに上下方向から入射する音波Ｓ３にそれぞれ時間差が生ずるようになり、これによりマイクユニット１５（１５Ｌ，１５Ｒ）による収音効果として音像定位感のある信号出力が可能となる。
【００２９】
尚、風切り音対策として、音波反射面２７とマイクホルダ２６の間にも第１実施形態と同様の風切り音防止部材を配置することが好ましい。
【００３０】
続いて、本発明の第３実施形態を図９〜図１０に基づいて説明すれば、第３実施形態では、収音装置を備える撮像装置３として、撮像レンズ１２の光軸Ｐに直交する方向において、カメラ筐体１１の前面部１１ａの左右両側となる位置にマイクホルダ３６（３６Ｌ，３６Ｒ）が設けられている。又、マイクホルダ３６が位置する部分は凹部３１として凹み、その内底部が音波反射面３７とされている。
【００３１】
音波反射面３７に近接対向する内壁面３６ａを有するマイクホルダ３６は、凹部３１の周辺における前面部１１ａと面一、若しくは前面部１１ａより若干凹部３１内に引っ込んだ平板状にして、その内方端部のみカメラ筐体１１に連なり、上下端面が凹部３１の周壁３１ａに臨んでいる。
【００３２】
尚、第３実施形態において、カメラ筐体の側面部１１ｃ，１１ｄに、上記のような表示パネル１３やカバーパネル１４は存在せず、背面部１１ｂに固定式の表示部３３が設けられた構成とされている。
【００３３】
このような収音装置を備える撮像装置でも、カメラ筐体１１の後方から音波反射面３７に雑音が入射することを防止しながら、前方に位置する音源からの直接音を音波反射面３７に積極的に入射させ、直接音とは別に入射する反射音との干渉を抑制し、ピーク・ディップの少ない周波数特性の収音を行うことができる。尚、第３実施形態でも、音波反射面３７がカメラ筐体１１を部分的に凹ますことにより形成されることから、マイクユニット１５（１５Ｌ，１５Ｒ）による収音効果として、音像定位感のある信号出力が可能となるが、前面部１１ａを凹まさず、第１実施形態のようにマイクホルダ３６を前面部１１ａに突出状態にして固設し、その内壁面３６ａに近接対向する前面部１１ａの表面部を音波反射面としてもよい。又、風切り音対策として、音波反射面３７とマイクホルダ３６の間にも第１実施形態と同様の風切り音防止部材を配置することが好ましい。
【００３４】
以上のように、各実施形態の収音装置によれば、撮像レンズの直交方向において２つのマイクユニットがバウンダリ型の配置態様でカメラ筐体の左右両側に離間して設けられていることから、音源からの直接音と室内の壁や床による反射音との干渉を抑制し、周波数特性に大きなピーク・ディップのない良質なステレオ収音が可能となる。
【００３５】
加えて、マイクユニットを保持するマイクホルダの後方端部がカメラ筐体に連なるように構成すれば、後方からの音情報をマイクホルダにより遮ることにより、前方の音情報と後方から到達する音情報に違いを発生させ、ステレオ収音ができる。
【符号の説明】
【００３６】
１，２，３  収音装置を備えた撮像装置
１１  カメラ筐体
１１ａ  前面部
１１ｂ  背面部
１１ｃ，１１ｄ  側面部
１２  撮像レンズ
Ｐ  光軸
１３  表示パネル
１４  カバーパネル
１５Ｌ  第１のマイクユニット
１５Ｒ  第２のマイクユニット
１５ａ  第１、第２のマイクユニットの収音面
１６Ｌ，２６Ｌ，３６Ｌ  第１のマイクホルダ
１６Ｒ，２６Ｒ，３６Ｒ  第２のマイクホルダ
１６ａ，２６ａ，３６ａ  第１、第２のマイクホルダの内壁面
１７，２７，３７  音波反射面
１８  風切り音防止部材
２１，３１  凹部
【図１】
2012147137.tif 000003
【図２】
2012147137.tif 000004
【図３】
2012147137.tif 000005
【図４】
2012147137.tif 000006
【図５】
2012147137.tif 000007
【図６】
2012147137.tif 000008
【図７】
2012147137.tif 000009
【図８】
2012147137.tif 000010
【図９】
2012147137.tif 000011
【図１０】
2012147137.tif 000012